(57)【特許請求の範囲】
【請求項１】
ギルバート乗算器を利用した平衡変調によって発生して平衡変調された色信号に含まれるスイッチングノイズを除去するノイズ除去装置であって、
電源端子と各々一側が連結する第１及び第２抵抗と、
接地端子と各々一側が連結する第３及び第４抵抗と、
前記ギルバート乗算器を利用した平衡変調装置によって発生して反転された平衡変調信号をベース入力し、エミッタ側の前記第１抵抗の他側と連結する第１トランジスタと、
前記ギルバート乗算器を利用した平衡変調装置によって発生した平衡変調信号をベース入力し、エミッタ側が前記第２抵抗の他側と連結する第２トランジスタと、
ベース側が前記第１トランジスタのコレクタと連結し、コレクタ側が前記電源端子と連結する第３トランジスタと、
コレクタ側が前記第１トランジスタのコレクタと連結し、ベース側が前記第３トランジスタのエミッタと連結し、エミッタ側が前記第３抵抗と連結する第４トランジスタと、
コレクタ側が前記第２トランジスタのコレクタと連結し、ベース側が前記第４トランジスタのベースと連結し、エミッタ側が前記第４抵抗と連結する第５トランジスタとを含むことを特徴とするノイズ除去装置。
【請求項２】
ギルバート乗算器を使用した平衡変調装置において、
平衡変調色信号及び反転した平衡変調色信号を発生するギルバート乗算器と、
前記平衡変調色信号及び反転した平衡変調色信号を入力して、平衡変調された色信号に流入されたスイッチングノイズを除去するノイズ除去器と、
前記ノイズ除去器から出力される平衡変調した色信号を増幅して出力する色信号増幅器とを含み、
前記ノイズ除去器が、
電源端子に各々一側が連結する第１及び第２抵抗と、
接地端子に各々一側が連結する第３及び第４抵抗と、
前記平衡変調色信号をベース入力し、エミッタ側が前記第１抵抗の他側と連結する第１トランジスタと、
前記反転した平衡変調色信号をベース入力し、エミッタ側が前記第２抵抗の他側と連結する第２トランジスタと、
ベース側が前記第１トランジスタのコレクタと連結し、コレクタ側が前記電源端子と連結する第３トランジスタと、
コレクタ側が前記第１トランジスタのコレクタと連結し、ベース側が前記第３トランジスタのエミッタと連結し、エミッタ側が前記第３抵抗と連結する第４トランジスタと、
コレクタ側が前記第２トランジスタのコレクタと連結し、ベース側が前記第４トランジスタのベースと連結し、エミッタ側が前記第４抵抗と連結し、そのコレクタ側からスイッチングノイズが除去された平衡変調色信号を出力する第５トランジスタとを含むことを特徴とする平衡変調装置。
【発明の詳細な説明】
【０００１】
【発明の属する技術分野】
本発明はギルバート乗算器（Ｇｉｌｂｅｒｔ  ｍｕｌｔｉｐｌｉｅｒ）を使用した平衡変調（ｂａｌａｎｃｅ  ｍｏｄｕｌａｔｉｏｎ）装置に係り、特にギルバート乗算器のスイッチング動作によって平衡変調色信号に流れ込むスイッチングノイズを除去するノイズ除去装置及びこれを使用した平衡変調装置に関するものである。
【０００２】
【従来の技術】
図１は、従来のギルバート乗算器を使用した平衡変調装置の構成を示す回路図である。図１において、参照符号１０はＲ−Ｙ変調部を、２０はＢ−Ｙ変調部を、３０はクロマ増幅部を示し、Ｒ０〜Ｒ１１は抵抗を、Ｑ１〜Ｑ２２はトランジスタを各々表したものである。
【０００３】
Ｒ−Ｙ変調部１０は、電源端子Ｖｃｃと連結して電流を供給するアクティブロード１と、赤色成分の色信号Ｒと輝度信号ＹとＲ−Ｙ色差信号とを変調するための搬送波Ｉ及びその反転された信号／Ｉ（以下、信号Ｘの反転信号を／Ｘで表す）を入力してＲ−Ｙ変調を遂行する変調部３と、バイアス部５とからなっている。この時、アクティブロード１は、電源端子と連結する抵抗Ｒ０と、ベースとコレクタとがお互い連結するトランジスタＱ１とで構成される。変調部３は、ギルバート乗算器で構成され、変調利得は非常に小さく設定されている。バイアス部５は、ベースが共通連結したトランジスタＱ８、Ｑ９と接地端子ＧＮＤと連結する抵抗Ｒ２、Ｒ３とからなっている。
【０００４】
Ｂ−Ｙ変調部２０は、電源端子と連結して電流を供給するアクティブロード２１と、青色成分の色信号Ｂと輝度信号ＹとＢ−Ｙ色差信号とを変調するための搬送波Ｑ及びその反転された信号／Ｑを入力してＢ−Ｙ変調を遂行する変調部２３と、バイアス部２５とで構成されている。この時、アクティブロード２１は、電源端子と連結する抵抗Ｒ４と、ベースとコレクタがお互い連結されたトランジスタＱ１２とからなる。変調部２３は、ギルバート乗算器で構成され、変調利得は非常に小さく設定されている。バイアス部２５は、ベースが共通連結したトランジスタＱ１７、Ｑ１８と接地端子ＧＮＤと連結する抵抗Ｒ６、Ｒ７とで構成されている。
【０００５】
クロマ増幅部３０は、平衡変調色信号ＣＣを所定利得に増幅する。
前記構成にともなう動作を説明すれば、次の通りである。
まず、Ｒ−Ｙ変調部１０及びＢ−Ｙ変調部２０を通じて発生するＲ−Ｙ及びＢ−Ｙ色差信号は、次の式によってベクトル合成されて、平衡変調色信号ＣＣとして出力される。
ＣＣ＝（Ｂ−Ｙ）＋ｊ（Ｒ−Ｙ）
【０００６】
【発明が解決しようとする課題】
ところが、前記式に従ってＲ−Ｙ及びＢ−Ｙ色差信号のベクトル合成を遂行する場合に、変調部３、２３の各トランジスタのスイッチング動作時に発生するノイズが、そのままクロマ増幅部３０に入力されて増幅される。従って、結局、増幅した平衡変調色信号ＯＫは、図３の（Ｃ）に示されるように、増幅した雑音を含んでいて、画面にディスプレイする時には、線が薄いホワイトラインの場合に白いラインにカラーが着色するＹ／Ｃ干渉現象が発生する。
【０００７】
本発明の目的は、上述した問題点を解決するために、Ｙ／Ｃ干渉現象を防止できるノイズ除去装置及びこれを使用した平衡変調装置を提供することにある。
【０００８】
【発明を解決するための手段】
上述した本発明の目的を達成するために、本発明によるノイズ除去装置は、ギルバート乗算器を利用した平衡変調によって発生して平衡変調された色信号に含まれるスイッチングノイズを除去するノイズ除去装置であって、電源端子と各々一側が連結する第１及び第２抵抗と、接地端子と各々一側が連結する第３及び第４抵抗と、前記ギルバート乗算器を利用した平衡変調装置によって発生して反転された平衡変調信号をベース入力し、エミッタ側の前記第１抵抗の他側と連結する第１トランジスタと、前記ギルバート乗算器を利用した平衡変調装置によって発生した平衡変調信号をベース入力し、エミッタ側が前記第２抵抗の他側と連結する第２トランジスタと、ベース側が前記第１トランジスタのコレクタと連結し、コレクタ側が前記電源端子と連結する第３トランジスタと、コレクタ側が前記第１トランジスタのコレクタと連結し、ベース側が前記第３トランジスタのエミッタと連結し、エミッタ側が前記第３抵抗と連結する第４トランジスタと、コレクタ側が前記第２トランジスタのコレクタと連結し、ベース側が前記第４トランジスタのベースと連結し、エミッタ側が前記第４抵抗と連結する第５トランジスタとを含むことを特徴とする。
【０００９】
叉、本発明の平衡変調装置は、ギルバート乗算器を使用した平衡変調装置において、平衡変調色信号及び反転した平衡変調色信号を発生するギルバート乗算器と、前記平衡変調色信号及び反転した平衡変調色信号を入力して、平衡変調された色信号に流入されたスイッチングノイズを除去するノイズ除去器と、前記ノイズ除去器から出力される平衡変調した色信号を増幅して出力する色信号増幅器とを含み、前記ノイズ除去器が、電源端子に各々一側が連結する第１及び第２抵抗と、接地端子に各々一側が連結する第３及び第４抵抗と、前記平衡変調色信号をベース入力し、エミッタ側が前記第１抵抗の他側と連結する第１トランジスタと、前記反転した平衡変調色信号をベース入力し、エミッタ側が前記第２抵抗の他側と連結する第２トランジスタと、ベース側が前記第１トランジスタのコレクタと連結し、コレクタ側が前記電源端子と連結する第３トランジスタと、コレクタ側が前記第１トランジスタのコレクタと連結し、ベース側が前記第３トランジスタのエミッタと連結し、エミッタ側が前記第３抵抗と連結する第４トランジスタと、コレクタ側が前記第２トランジスタのコレクタと連結し、ベース側が前記第４トランジスタのベースと連結し、エミッタ側が前記第４抵抗と連結し、そのコレクタ側からスイッチングノイズが除去された平衡変調色信号を出力する第５トランジスタとを含むことを特徴とする。
【００１０】
【発明の実施の形態】
以下添付した図面を参照して、本発明の望ましい実施の形態の平衡変調装置について詳細に説明する。
＜本実施の形態の平衡変調装置の構成例＞
図２は、本発明にともなうノイズ除去装置を適用した平衡変調装置の構成を示す回路図である。
【００１１】
図２において、参照符号４０はＲ−Ｙ変調部を、５０はＢ−Ｙ変調部を、６０はノイズ除去部、７０はクロマ増幅部を示し、Ｒ２０〜Ｒ３７は抵抗を、Ｑ３０〜Ｑ５８はトランジスタを各々示したものである。
Ｒ−Ｙ変調部４０は、電源端子と連結して電流を供給するアクティブロード４１と、Ｒ−Ｙ変調を遂行する変調部４３と、バイアス部４５とからなっている。この時、アクティブロード４１は、電源端子と連結する抵抗Ｒ２０と、ベースとコレクタがお互い連結したトランジスタＱ３０とからなる。変調部４３は、ギルバート乗算器で構成され、変調利得は非常に小さく設定されている。バイアス部４５は、ベースが共通連結したトランジスタＱ３７、Ｑ３８と接地端子ＧＮＤと連結する抵抗Ｒ２２、Ｒ２３とからなっている。
【００１２】
Ｂ−Ｙ変調部５０は、電源端子と連結して電流を供給するアクティブロード５１と、Ｂ−Ｙ変調を遂行する変調部５３と、バイアス部５５とからなっている。この時、アクティブロード２１は、電源端子と連結する抵抗Ｒ２７と、ベースとコレクタが連結したトランジスタＱ４３とからなる。変調部５３は、ギルバート乗算器で構成され、変調利得は非常に小さく設定されている。バイアス部５５は、ベースが共通連結したトランジスタＱ４６、Ｑ４７と接地端子ＧＮＤと連結する抵抗Ｒ２５、Ｒ２６とからなっている。
【００１３】
ノイズ除去部６０は、反転された平衡変調色信号をベース入力とし、エミッタ側が抵抗Ｒ２８を通じて電源端子と連結するＰＮＰトランジスタＱ４８と、平衡変調色信号ＣＣをベース入力とし、エミッタ側が抵抗Ｒ２９を通じて電源端子と連結するＰＮＰトランジスタＱ４９と、ベース側がトランジスタＱ４８のコレクタと連結し、コレクタ側が電源端子と連結するＮＰＮトランジスタＱ５１と、コレクタ側のトランジスタＱ４８のコレクタと連結し、エミッタ側が抵抗Ｒ３１を通じて接地され、ベース側がトランジスタＱ５１のエミッタと連結するＮＰＮトランジスタＱ５２と、コレクタ側がトランジスタＱ４９のコレクタと連結し、ベース側がトランジスタＱ５２のベースと連結し、エミッタ側が抵抗Ｒ３２を通じて接地されるＮＰＮトランジスタＱ５３とからなっている。
【００１４】
ノイズ除去部６０は、平衡変調色信号ＣＣと反転した平衡変調色信号／ＣＣに含まれる同相のノイズ成分を除去する。即ち、Ｒ−Ｙ変調部４０及びＢ−Ｙ変調部５０からトランジスタのスイッチング動作時に発生するノイズ成分は、平衡変調色信号ＣＣと反転した平衡変調色信号／ＣＣに各々同相に現れる。
以下、ノイズ除去部６０のノイズ除去動作を詳細に説明する。
【００１５】
トランジスタＱ４８を通じて流れる電流Ｉ１とトランジスタＱ４９を通じて流れる電流Ｉ２とは前述したように、同相のノイズ成分を持つようになる。この時、トランジスタＱ５２、Ｑ５３はトランジスタＱ５１を通じてベース電流を供給されることになり、従って、同一の電流駆動能力を有する。このため、電流Ｉ２に含まれた同相のノイズ成分は、トランジスタＱ５３を通じて電流Ｉ４として流れるようになり、クロマ増幅部７０には、ノイズ成分が除去された電流Ｉ３だけが流れ込むようになる。
【００１６】
クロマ増幅部７０は、受信された平衡変調色信号ＣＣの中でノイズ成分が除去された信号Ｉ３を所定の利得に増幅して、増幅された平衡変調色信号ＯＫを出力する。
クロマ増幅部７０は、エミッタ側が抵抗Ｒ３０を通じて電源端子と連結するＰＮＰトランジスタＱ５０と、コレクタ側が抵抗Ｒ３４を通じて電源端子と連結し、ベース側がトランジスタＱ５０のエミッタと連結するＮＰＮトランジスタＱ５６と、コレクタ側がトランジスタＱ５６のベースと連結し、エミッタ側が抵抗Ｒ３３を通じて接地するＮＰＮトランジスタＱ５４と、コレクタ側のトランジスタＱ５６のエミッタと連結し、ベース側がコレクタ側と連結すると同時にトランジスタＱ５４のベースと連結し、エミッタ側が抵抗Ｒ３６を通じて接地するＮＰＮトランジスタＱ５７と、エミッタ側が抵抗Ｒ３５と連結し、ベース側がコレクタ側と連結すると同時にトランジスタＱ５０のベースと連結するＰＮＰトランジスタＱ５５と、コレクタ側のトランジスタＱ５５のコレクタと連結し、ベース側がトランジスタＱ４７のベースと連結し、エミッタ側が抵抗Ｒ３７を通じて接地するＮＰＮトランジスタＱ５８とからなっている。
【００１７】
この時、クロマ増幅部７０は、入力電流Ｉ３を入力されて所定増幅率で増幅する動作を遂行するようになる。この時、トランジスタＱ５５を通じて流れる電流によって増幅動作の範囲が決定される。
＜本実施の形態の平衡変調装置の動作例＞
図２に示した平衡変調装置の動作を調べると、次の通りである。
【００１８】
まず、Ｒ−Ｙ変調部４０は、Ｒ−Ｙ色差信号に対して差動入力されるＩ信号（Ｉ、／Ｉ、図３の（Ａ））を重複させてＲ−Ｙ変調を遂行し、Ｂ−Ｙ変調部５０は、Ｂ−Ｙ色差信号に対して差動入力されるＱ信号Ｑ、／Ｑを重複させてＢ−Ｙ変調を遂行する。次いで、Ｒ−Ｙ変調部４０及びＢ−Ｙ変調部５０を通じて発生されるＲ−Ｙ及びＢ−Ｙ色差信号は、次の式によってベクトル合成されて、平衡変調信号ＣＣが、図３の（Ｂ）に示したように出力される。
【００１９】
ＣＣ＝（Ｂ−Ｙ）＋ｊ（Ｒ−Ｙ）
ところが、Ｒ−Ｙ及びＢ−Ｙ色差信号を前記式によってベクトル合成を遂行する時に、Ｒ−Ｙ変調部４０及びＢ−Ｙ変調部５０の各トランジスタのスイッチング動作によって、図３Ｂに示したように、差動入力される平衡変調色信号ＣＣ、／ＣＣに同相のノイズが発生する。このような同相のノイズは、ノイズ除去部６０に入力されて上述した動作を通じて除去された後、クロマ増幅部７０によって所定の利得に増幅される。従って、増幅した信号は、図３の（Ｄ）に示したように、Ｙ／Ｃ干渉現象によって発生するノイズ成分が除去される。
【００２０】
【発明の効果】
以上述べたように、本発明によれば、平衡変調された色信号に含まれるスイッチングノイズが除去されることによって、Ｙ／Ｃ干渉現象を軽減できる効果がある。
【図面の簡単な説明】
【図１】従来のギルバート乗算器を使用した平衡変調装置の構成例を示す回路図である。
【図２】本実施の形態のノイズ除去装置を適用した平衡変調装置の構成例を示す回路図である。
【図３】図１及び図２に示した平衡変調装置の動作を説明するための波形図である。
【図１】
0003618975.tif 000002
【図２】
0003618975.tif 000003
【図３】
0003618975.tif 000004